(57)【要約】【課題】濾過部材の設置作業の能率を向上することができる土砂流出防止用排水フィルターを提供する。【解決手段】蓋部１２の外周縁に対し、挿入部１３の基端部を一体に形成し、その挿入部１３にスリット１４を形成する。前記蓋部１２の外周縁に対し濾過部材１５を収容するための係止舌片１６を複数箇所に一体に形成し、各係止舌片１６の間にスリット１７を設ける。前記係止舌片１６の先端部が内側に変位するように傾斜させ、前記濾過部材１５の直径Ｄ寸法よりも対向する一対の係止舌片１６の先端部の間隔Ｗを小さくする。前記各係止舌片１６の内側に形成された収容空間１８に濾過部材１５を収容して係止する。【選択図】      図１
2006112157.tif 000002
【特許請求の範囲】
【請求項１】
複数の濾過孔が形成された蓋部と、この蓋部の外周縁に連結したスカート状の挿入部と、前記蓋部又は挿入部に設けられ、かつ濾過部材を所定位置に係止するための係止手段とを備えたことを特徴とする土砂流出防止用排水フィルター。  
【請求項２】
請求項１において、前記挿入部の先端部は、その基端部よりも外方へ広がるように形成され、この挿入部には、その先端部側から一箇所以上のスリットが切り込み形成され、弾性的に収束可能になっていることを特徴とする土砂流出防止用排水フィルター。
【請求項３】
請求項１又は２において、前記係止手段は、前記蓋部の外周縁に突設された複数の係止舌片であって、各係止舌片の少なくとも一つの係止舌片は、その先端に行くに従って内側へ変位するように傾斜されていることを特徴とする土砂流出防止用排水フィルター。
【請求項４】
請求項１又は２において、前記係止手段は、前記挿入部の内面に形成された係止突起又は係止突条であることを特徴とする土砂流出防止用排水フィルター。
【請求項５】
請求項１において、前記係止手段は、前記挿入部の基端部に内方に向けて突設された濾過部材の係止フランジと、前記挿入部の基端部に挿入部と反対側に向けて突設された支持筒部と、該支持筒部の外周面に形成された雄ねじ部に螺合される蓋部を有するキャップとにより構成され、前記濾過部材は前記係止フランジ、支持筒部及びキャップにより構成された収容空間に収容されるようにしていることを特徴とする土砂流出防止用排水フィルター。
【請求項６】
請求項１において、前記係止手段は、前記挿入部の内側面に形成された係止凹部に両端を係止して架設された係止板であることを特徴とする土砂流出防止用排水フィルター。
【請求項７】
請求項１において、前記係止手段は、前記蓋部のほぼ中央部に前記挿入部と同じ側に立設された雄ねじと、この雄ねじに螺合されたナットとによって構成されていることを特徴とする土砂流出防止用排水フィルター。
【請求項８】
請求項１において、前記係止手段は、前記蓋部のほぼ中央部に前記挿入部と同じ側に立設された係止ピンであって、この係止ピンの先端部を加熱して鍔部を形成することにより濾過部材を係止するように構成されていることを特徴とする土砂流出防止用排水フィルター。
【請求項９】
請求項１において、前記挿入部の開口部外周縁に、Ｕ字溝に形成された排水孔の外側開口縁に係止される外側フランジを形成し、前記挿入部の開口部内周縁には、蓋部と挿入部によって形成された収容空間に収容される濾過部材を係止する内側フランジが形成されていることを特徴とする土砂流出防止用排水フィルター。
【発明の詳細な説明】
【技術分野】
【０００１】
本発明は例えばＵ字溝等の側壁等に透設された排水孔に取着される土砂流出防止用排水フィルターに関する。
【背景技術】
【０００２】
一般に、法面や道路等に構築される排水路又は側溝には、Ｕ字溝が敷設されることがある。このＵ字溝の左右の側壁には、外側の砂利層に含まれる水をＵ字溝内に導くための円錐台形状の排水孔が複数箇所に設けられたものがある。この排水孔には、外側の土砂が水とともにＵ字溝内部に流出するのを防止するため土砂流出防止用排水フィルターが取り付けられている。このフィルターは、多数の濾過孔が形成された蓋部と、この蓋部の外周から突設したスカート状の挿入部とにより構成されている。（特許文献１参照）
【特許文献１】特公昭６２−２３１２７号公報
【発明の開示】
【発明が解決しようとする課題】
【０００３】
ところが、従来の土砂流出防止用排水フィルターは、前記蓋部に多数の濾過孔が形成されているが、土砂に含まれる比較的小粒径の土砂が通過して、Ｕ字溝内に侵入するという問題があった。この問題を解消するため、従来は前記排水孔の外側開口部を覆うように不織布よりなる別の濾過部材をＵ字溝の側壁と砂利層との間に配設するようになっている。
【０００４】
しかし、上記の濾過部材の配設方法は、現場での施工作業に手間がかかり、配設作業の能率を向上することができないという問題があった。
本発明の目的は、別体で形成された濾過部材の設置作業の能率を向上することができる土砂流出防止用排水フィルターを提供することにある。
【課題を解決するための手段】
【０００５】
上記問題点を解決するために、請求項１に記載の発明は、複数の濾過孔が形成された蓋部と、この蓋部の外周縁に連結したスカート状の挿入部と、前記蓋部又は挿入部に設けられ、かつ濾過部材を所定位置に係止するための係止手段とを備えたことを要旨とする。
【０００６】
請求項２に記載の発明は、請求項１において、前記挿入部の先端部は、その基端部よりも外方へ広がるように形成され、この挿入部には、その先端部側から一箇所以上のスリットが切り込み形成され、弾性的に収束可能になっていることを要旨とする。
【０００７】
請求項３に記載の発明は、請求項１又は２において、前記係止手段は、前記蓋部の外周縁に突設された複数の係止舌片であって、各係止舌片の少なくとも一つの係止舌片は、その先端に行くに従って内側へ変位するように傾斜されていることを要旨とする。
【０００８】
請求項４に記載の発明は、請求項１又は２において、前記係止手段は、前記挿入部の内面に形成された係止突起又は係止突条であることを要旨とする。
請求項５に記載の発明は、請求項１において、前記係止手段は、前記挿入部の基端部に内方に向けて突設された濾過部材の係止フランジと、前記挿入部の基端部に挿入部と反対側に向けて突設された支持筒部と、該支持筒部の外周面に形成された雄ねじ部に螺合される蓋部を有するキャップとにより構成され、前記濾過部材は前記係止フランジ、支持筒部及びキャップにより構成された収容空間に収容されるようにしていることを要旨とする。
【０００９】
請求項６に記載の発明は、請求項１において、前記係止手段は、前記挿入部の内側面に形成された係止凹部に両端を係止して架設された係止板であることを要旨とする。
請求項７に記載の発明は、請求項１において、前記係止手段は、前記蓋部のほぼ中央部に前記挿入部と同じ側に立設された雄ねじと、この雄ねじに螺合されたナットとによって構成されていることを要旨とする。
【００１０】
請求項８に記載の発明は、請求項１において、前記係止手段は、前記蓋部のほぼ中央部に前記挿入部と同じ側に立設された係止ピンであって、この係止ピンの先端部を加熱して鍔部を形成することにより濾過部材を係止するように構成されていることを要旨とする。
【００１１】
請求項９に記載の発明は、請求項１において、前記挿入部の開口部外周縁に、Ｕ字溝に形成された排水孔の外側開口縁に係止される外側フランジを形成し、前記挿入部の開口部内周縁には、蓋部と挿入部によって形成された収容空間に収容される濾過部材を係止する内側フランジが形成されていることを要旨とする。
【発明の効果】
【００１２】
本発明によれば、蓋部又は挿入部に設けられた係止手段によって、前記濾過部材を所定位置に係止するようにしたので、濾過部材の設置作業の能率を向上することができる。
【発明を実施するための最良の形態】
【００１３】
以下、本発明を具体化した土砂流出防止用排水フィルターの一実施形態を図１〜図５に従って説明する。
図４に示す符号「１」は、道路両側、法面等に構築した排水路であって、多数のコンクリート製のＵ字溝２を互いに連結することにより構成されている。前記Ｕ字溝２の左右の両側壁２ａ下部には、それぞれ排水孔３が複数箇所に１列状に透設されている。この排水孔３は図５に示すように側壁２ａの外面から内面に向かって縮径するテーパ状に形成されている。前記Ｕ字溝２の周囲には、砂利層４が配設されている。
【００１４】
次に、前記Ｕ字溝２の排水孔３に取り付けられる有弾性の例えばポリプロピレン樹脂等の合成樹脂からなるフィルター１１について説明する。
このフィルター１１は、前記排水孔３の最小径（側壁２ａの内面に開口する側の径）と同一の径を有する円形の蓋部１２と、この蓋部１２の周縁から前記Ｕ字溝２の排水孔３のテーパ角度よりも大きい傾斜角度の斜状に、かつスカート状に突設した挿入部１３とにより構成され、全体が有蓋円錐台形状に形成されている。
【００１５】
前記蓋部１２には、複数（この実施形態では多数）の濾過孔１２ａが形成されている。又、前記挿入部１３には、適宜の間隔をおいて先端部から蓋部１２に向かう複数のスリット１４が切り込み形成され、前記挿入部１３に弾性的な復元性を持たせている。
【００１６】
なお、前記挿入部１３の蓋部１２から先端までの高さ寸法は、前記排水孔３に取り付けられた際に安定するように、２０〜５０ｍｍ程度に設定されている。又、前記スリット１４の数は、一つ以上あれば良い。
【００１７】
前記蓋部１２の周縁には、前記挿入部１３の内側において、別途用意された濾過部材１５を蓋部１２の片側の面に接触した状態に保持するための係止手段としての係止舌片１６が複数箇所に形成されている。前記濾過部材１５は例えば編み物、織物或いは不織布等により円形マット状に形成されている。各係止舌片１６の間には、スリット１７が形成されている。前記各係止舌片１６は、蓋部１２から先端に向かうほど内側に変位するように傾斜されている。そして、前記濾過部材１５の直径Ｄ寸法よりも、各係止舌片１６のうち対向する一対の係止舌片１６の先端部の間隔Ｗが小さくなるように設定されている。従って、前記係止舌片１６の先端部を互いに外方向に弾性変形させて拡径するように変位し、前記濾過部材１５を各係止舌片１６の内側に形成される収容空間１８に収容した状態で、濾過部材１５が係止舌片１６により外れないようにしている。
【００１８】
上記のように構成された濾過部材１５を備えたフィルター１１を前記Ｕ字溝２に取り付けるには、排水路１を構築する前に、Ｕ字溝２の排水孔３に対し、その蓋部１２をＵ字溝２の内方に向けて側壁２ａ外面側から蓋部１２が側壁２ａの内面と面一になるまで挿入する。すると、排水孔３がＵ字溝２の内側ほど縮径されているため、フィルター１１の各挿入部１３は、その弾性力に抗して縮径方向に押し込まれることにより、排水孔３内周面に対し、緊密に密着される。
【００１９】
このように緊密にフィルター１１が固定されたＵ字溝２を、図４のように連結して、排水路１を構築した場合、図５に示すように砂利層４を介して水とともに、Ｕ字溝２の排水孔３の内部に流入する土砂は、濾過部材１５及び蓋部１２の濾過孔１２ａにより排水路１内部への流出が防止され、水のみが排水路１内に流出する。
【００２０】
さらに、排水路１内の排水量が多くなって、Ｕ字溝２の排水孔３から排水が逆流した場合にもフィルター１１の挿入部１３が排水孔３の周壁に緊密に固定されているため、排水孔３からフィルター１１が離脱することはなく、排水路１内の排水に含まれる土砂が、排水孔３内に入ることもない。
【００２１】
上記実施形態の土砂流出防止用排水フィルターによれば、以下のような効果を得ることができる。
（１）上記実施形態では、前記蓋部１２の周縁に対して、濾過部材１５を収容する複数の係止舌片１６を一体に形成したので、フィルター１１に濾過部材１５を装着することができ、濾過部材１５の設置作業の能率を向上することができる。又、濾過部材１５と蓋部１２の濾過孔１２ａとによって、濾過孔１２ａの外側から側壁２ａを通して、Ｕ字溝２の内部に侵入しようとする土砂を濾過することができる。
【００２２】
（２）上記実施形態では、前記蓋部１２に対して係止舌片１６を一体に形成し、各係止舌片１６の間にスリット１７を形成した。このため、係止舌片１６をその基端部を中心に弾性変形させることができ、係止舌片１６の内周面を成形する入れ子の型抜きを行うことができ、１回の型成形作業によって、蓋部１２に対し係止舌片１６を容易に一体成形することができる。
【００２３】
なお、上記実施形態は以下のように変更してもよい。
○図６に示すように、前記挿入部１３の内周面に対し、濾過部材１５を係止するための係止突条１３ａを一体に形成してもよい。この係止突条１３ａに代えて、図示しないが係止突起を形成してもよい。
【００２４】
○図７及び図８に示すように、前記挿入部１３の内周面に対し、溝状をなす複数の係止凹部１３ｂを互いに対向するように一体に形成し、両係止凹部１３ｂに濾過部材１５を係止するための係止板１９の両端部を係止して架設するようにしてもよい。又、前記挿入部１３の内周面に対し、図示しないが係止ピンを挿入係止する係止穴を複数箇所に形成してもよい。さらに、全ての挿入部１３の内周面に前記係止凹部１３ｂ又は係止穴を形成してもよい。
【００２５】
○図９に示すように、前記蓋部１２の中央部の内側面に対し、濾過部材１５を係止するためのボルト２０を連結し、このボルト２０にナット２１を螺合して、濾過部材１５を係止するようにしてもよい。
【００２６】
○図１０に示すように、前記ボルト２０に代えて係止ピン２２を一体に形成し、前記濾過部材１５を装着した後に係止ピン２２の先端を例えばハンダコテ等により加熱して潰して鍔部２２ａを形成し、濾過部材１５が外れないようにしてもよい。
【００２７】
○図１１に示すように、前記挿入部１３の基端部内周縁に対し、前記濾過部材１５を係止するための係止フランジ２３を一体に形成するとともに、支持筒部２４を挿入部１３と反対側へ一体に形成する。この支持筒部２４の外周面に形成された雄ねじ部２４ａに対し、濾過孔２５ａを有するキャップ２５の筒部２５ｂの内周面に形成された雌ねじ部２５ｃを螺合するようにしてもよい。この別例では支持筒部２４とキャップ２５によって濾過部材１５の収容空間１８が形成されている。
【００２８】
○図１２に示すように、前記蓋部１２の複数の濾過孔１２ａをほぼ三角形状に形成してもよい。この濾過孔１２ａの形成数は、８箇所以外に多数箇所に形成してもよい。
○図１３に示すように、蓋部１２の外周縁に挿入部３１を一体に形成し、蓋部１２と挿入部３１によって形成された収容空間１８に濾過部材１５を収容する。前記挿入部３１の端部内周縁に前記濾過部材１５を係止するための内側フランジ３２を一体に形成する。又、挿入部３１の端部外周縁に前記Ｕ字溝２の排水孔３の外端部に係止される外側フランジ３３を一体に形成してもよい。
【００２９】
○図１３の構成において、内側フランジ３２に代えて、図１４に示すように、前記蓋部１２の片側面に前記係止舌片１６と同様の係止舌片１６を複数箇所に形成してもよい。
○図１５に示すように、前記挿入部３１の端部内周面に雌ネジ部３１ａを形成し、この雌ネジ部３１ａに収容空間１８に収容された濾過部材１５を係止する係止リング３４の外周の雄ネジ部３４ａを螺合するようにしてもよい。
【００３０】
○複数の前記係止舌片１６のうち少なくとも一つの係止舌片１６を傾斜させてもよい。
○前記係止舌片１６の枚数を２〜５枚、７枚以上にしてもよい。
○前記濾過部材１５として、マット状のもの以外に布状の濾過シートを用いてもよい。この場合には多数の濾過シートを積層するのが望ましい。
【図面の簡単な説明】
【００３１】
【図１】この発明のフィルターを具体化した一実施形態を示す断面図。
【図２】フィルターを軸方向から見た正面図。
【図３】フィルターの側面図。
【図４】排水路を示す斜視図。
【図５】Ｕ字溝の拡大部分横断面図。
【図６】別のフィルターを示す断面図。
【図７】別のフィルターを示す断面図。
【図８】図７の別例のフィルターの正面図。
【図９】別のフィルターを示す断面図。
【図１０】別のフィルターを示す断面図。
【図１１】別のフィルターを示す断面図。
【図１２】別のフィルターを示す正面図。
【図１３】別のフィルターを示す断面図。
【図１４】別のフィルターを示す断面図。
【図１５】別のフィルターを示す断面図。
【符号の説明】
【００３２】
２…Ｕ字溝、３…排水孔、１２…蓋部、１２ａ，２５ａ…濾過孔、１３，３１…挿入部、１３ａ…係止突条、１３ｂ…係止凹部、１４，１７…スリット、１５…濾過部材、１６…係止舌片、１８…収容空間、１９…係止板、２１…ナット、２２…係止ピン、２２ａ…鍔部、２３…係止フランジ、３２…内側フランジ、２４…支持筒部、２４ａ…雄ねじ部、２５…キャップ、３２…内側フランジ、３３…外側フランジ。
【図１】
2006112157.tif 000003
【図２】
2006112157.tif 000004
【図３】
2006112157.tif 000005
【図４】
2006112157.tif 000006
【図５】
2006112157.tif 000007
【図６】
2006112157.tif 000008
【図７】
2006112157.tif 000009
【図８】
2006112157.tif 000010
【図９】
2006112157.tif 000011
【図１０】
2006112157.tif 000012
【図１１】
2006112157.tif 000013
【図１２】
2006112157.tif 000014
【図１３】
2006112157.tif 000015
【図１４】
2006112157.tif 000016
【図１５】
2006112157.tif 000017